(57)【特許請求の範囲】
【請求項１】
先端部の一側部側に切欠部を有するメモリカードが、一側面で開口するカード挿入口から挿入される扁平箱状のコネクタ本体と、このコネクタ本体内にカード挿抜方向に沿って移動自在に配置され、挿入される前記メモリカードの前記切欠部と係合する張り出し部を有するスライド部材とを備え、前記スライド部材は、挿入される前記メモリカードにより、前記張り出し部が前記切欠部に係合して、前記コネクタ本体の奥側のカード装着位置までスライド移動するメモリカードコネクタであって、
前記コネクタ本体は、前記カード挿入口の一辺を形成する一端辺側から前記カード装着位置まで挿入された前記メモリカードの電極と接触する複数のコンタクトを保持する本体板部を有するとともに、この本体板部の両側辺部から両側壁部がカード装着領域を挟むように互いに対向して立設されてなる樹脂製のハウジングと、
前記両側壁部を外側で被覆する側板部を有するとともに、前記側板部に形成された係止孔を、前記ハウジングの両側壁部の外面に突設された取付爪部に係合することにより、前記カード装着領域を覆うように、前記ハウジングに取り付けられる金属製のシールドカバーとで形成され、
前記ハウジングでは、前記スライド部材は、前記両側壁部のうち一側壁部側に、前記カード挿入口側から前記カード装着位置まで移動自在に配設され、前記一側壁部と対向する他側壁部における前記カード挿入口側の部分には、当該部分を補強する補強板が配設され、
前記補強板は、前記コンタクトとともに、前記ハウジングにインサート成形されてなり、この前記補強板には、板厚方向に連通する開口部が形成され、
前記取付爪部は、前記他側壁部のカード挿入口側の部分に、前記開口部を介して、前記補強板の内面に配設された樹脂層から前記補強板の外面から突出して形成されている、
メモリカードコネクタ。
【請求項２】
前記補強板の外面は、前記カード挿入口側の部分において、当該部分の外側の側板部に臨むように配置され、
この外面には、前記カード挿入口側の部分の外側に配置された前記シールドカバーの側板部と当接する突部が形成されている請求項１記載のメモリカードコネクタ。
【請求項３】
前記補強板は、前記他側壁部において、前記カード挿入口の一側縁を形成する端縁よりも奥側に位置していることを特徴とする請求項２記載のメモリカードコネクタ。
【発明の詳細な説明】
【技術分野】
【０００１】
本発明は、挿入されたメモリカードを装着位置で保持するメモリカードコネクタに関する。
【背景技術】
【０００２】
例えば、デジタルカメラで撮像された画像データを記憶する記録媒体、携帯型音楽再生機で再生される音楽デジタルデータを記憶する記録媒体、或いは、作成した文章データを記憶する記憶媒体として、カード型のメモリカードが知られている。
【０００３】
メモリカードは、一般的に、外観が矩形薄板形状に形成された小型の樹脂製パッケージの内部にフラッシュメモリが収容されており、パッケージにおける一方の裏面の端部に電気的に接続される複数の電極が並設されている。
【０００４】
このように構成されるメモリカードは、デジタルカメラ、携帯型音楽再生機、ノート型パソコン、携帯電話機等の装着される電子機器には、メモリカードコネクタを介して装着される。
【０００５】
メモリカードコネクタとしては、例えば、特許文献１に示すように、先端側の一側辺部に切り欠き部が形成されたメモリーカード用のプッシュプッシュイジェクト（プッシュインプッシュアウト）タイプのメモリカードコネクタが知られている。
【０００６】
このタイプのカードコネクタにおいて、カードの挿入方向に沿うハウジング内の一側には、カード挿抜方向に移動自在に配置され、カードの切り欠き部に係合する張り出し部を有するスライド部材が設けられている。
【０００７】
このコネクタでは、カードをカード挿入口から正しい姿勢で挿入すると、スライド部材の張り出し部と、スライド部材側とは反対側の側面部との間にカード先端部が位置して、カードの切り欠き部にスライド部材の張り出し部が係合する。そして、カードは切り欠き部を介してスライド部材を押し込み、装着位置まで挿入される。
【０００８】
一方、カードが前後逆又は表裏逆に誤挿入された場合、カードは、カード先端部における切り欠き部の側の角部以外の角部でスライド部材の張り出し部と干渉してスライド部材を押し込み、装着位置まで挿入できないようになっている。
【特許文献１】特開２００５−１００８３６号公報
【発明の開示】
【発明が解決しようとする課題】
【０００９】
しかしながら、従来のメモリカードコネクタでは、メモリカードが表裏逆に誤挿入される場合、カードが、ハウジング内においてスライダ部材の張り出し部と、スライド部材側とは反対側の側面部との間を閉塞するようにカード挿入口の開口面に対して傾いた状態で挿入されることがある。すなわち、表裏面を逆にしてカード挿入口から挿入されたカードがコネクタ本体奥方に挿入される場合、カードにおいて切り欠き部と反対側の他側辺部は、ハウジングの一側の開口側縁部及び張り出し部の張り出し端に当接して奥側に傾斜して案内される。すると、カードの一側辺部側では、切り欠き部を構成する後端面部の角部が、ハウジングにおいてスライド部材側とは反対側の側面部におけるカード挿入口近傍の内壁面に当接し、カード自体は、カード挿入口の開口面に対して傾いた状態となる。
【００１０】
カードに大きな負荷を加えて、表裏逆に挿入した場合には、カードは傾いた状態で押し込まれることとなり、切り欠き部を構成する後端面部の角部は、当接するハウジングの内壁面をコネクタの側方に押圧しながら、装着位置まで押し込まれることとなり、コネクタ自体を変形させてしまうという恐れがあった。
【００１１】
本発明はかかる点に鑑みてなされたものであり、カードが表裏逆に挿入されても、変形しないメモリカードコネクタを提供することを目的とする。
【課題を解決するための手段】
【００１２】
本発明のメモリカードコネクタは、先端部の一側部側に切欠部を有するメモリカードが、一側面で開口するカード挿入口から挿入される扁平箱状のコネクタ本体と、このコネクタ本体内にカード挿抜方向に沿って移動自在に配置され、挿入される前記メモリカードの前記切欠部と係合する張り出し部を有するスライド部材とを備え、前記スライド部材は、挿入される前記メモリカードにより、前記張り出し部が前記切欠部に係合して、前記コネクタ本体の奥側のカード装着位置までスライド移動するメモリカードコネクタであって、
前記コネクタ本体は、前記カード挿入口の一辺を形成する一端辺側から前記カード装着位置まで挿入された前記メモリカードの電極と接触する複数のコンタクトを保持する本体板部を有するとともに、この本体板部の両側辺部から両側壁部がカード装着領域を挟むように互いに対向して立設されてなる樹脂製のハウジングと、前記両側壁部を外側で被覆する側板部を有するとともに、前記側板部に形成された係止孔を、前記ハウジングの両側壁部の外面に突設された取付爪部に係合することにより、前記カード装着領域を覆うように、前記ハウジングに取り付けられる金属製のシールドカバーとで形成され、前記ハウジングでは、前記スライド部材は、前記両側壁部のうち一側壁部側に、前記カード挿入口側から前記カード装着位置まで移動自在に配設され、前記一側壁部と対向する他側壁部における前記カード挿入口側の部分には、当該部分を補強する補強板が配設され、前記補強板は、前記コンタクトとともに、前記ハウジングにインサート成形されてなり、この前記補強板には、板厚方向に連通する開口部が形成され、前記取付爪部は、前記他側壁部のカード挿入口側の部分に、前記開口部を介して、前記補強板の内面に配設された樹脂層から前記補強板の外面から突出して形成されている構成を採る。
【発明の効果】
【００１３】
本発明によれば、カードが表裏逆に挿入されることによる変形を防止できる。
【発明を実施するための最良の形態】
【００１４】
以下、本発明の実施の形態について、図面を参照して詳細に説明する。
【００１５】
図１は、本発明の一実施の形態に係るメモリカードコネクタの構成を示す斜視外観図である。なお、図１は、便宜上、メモリカードコネクタの上面部分を透視した状態を示している。また、本実施の形態のメモリカードコネクタでは、後述するように、スライダ１５０を付勢するコイルバネ１６０（図２参照）を有しているが図１では省略している。また、本実施の形態において、コネクタ側における前方は、カード挿入口側を意味する。
【００１６】
図１に示すメモリカードコネクタ（以下。「コネクタ」という）１００は、平面視略矩形状の扁平な箱状をなし、内部にカード挿入口１０２から挿入されるメモリカード２００を収容する収容部（カード装着領域）１０４を備える。
【００１７】
なお、メモリカード２００は、種類ごとに決められた寸法、形状に形成されているため、本実施の形態のメモリカードコネクタでは、使用されるメモリカードの寸法、形状に対応しているものとする。
【００１８】
本実施の形態のコネクタ１００に装着されるメモリカード（「カード」ともいう）２００は、矩形板状をなし、外形寸法を１１mm×１５mm×１mmとし、先端側の横幅を後端側の横幅１１mmよりも狭くして下面に複数の電極が配置されたものとする。
【００１９】
また、本実施の形態のコネクタ１００に装着されるメモリカード２００では、先端部の一側部（メモリカード２００からみてコネクタ１００に対する挿入方向を先端側とした右側部）側が切り欠かれてなる切欠部２１０が形成されている。ここで切欠部２１０は、矩形状のメモリカードの先端部の一側面（右側面）において角部を含み、他側面と平行な１面とこの一面と傾斜して交差する２面とで四角形に切り落としてなる。よって、この切欠部２１０によりメモリカード２００の先端部は、後端部側よりも幅が狭くなっている。
【００２０】
また、メモリカード２００の一側部（挿入方向側を先端側とした右側部）には、切欠部２１０より基端側に、一側方（右側方）開口する爪係止溝２２０が形成されている。すなわち、メモリカード２００の一側部には、切欠部２１０と爪係止溝２２０との間で一側方（右側方）に突出する突起部２３０が形成された状態となっている。この突起部２３０の先端側の外面、つまり、切欠部２１０を形成する基端側面は、メモリカード２００の先端側から基端側に向かって右側方に立ち上がる傾斜面２１２となっている。
【００２１】
コネクタ１００のコネクタ本体は、絶縁性を有する材料（ここでは、絶縁性の合成樹脂材）で形成され、コンタクト１３０を保持する平面視略矩形状のハウジング１１０に、板状の導電性を有する材料（ここでは、金属板）の両側部をＬ字状に折り曲げることにより形成されたシールドカバー１２０を被せることで形成されている。
【００２２】
図２は、本発明の一実施の形態に係るメモリカードコネクタにおいてシールドカバー１２０を外した状態のハウジングの平面図、図３は図２に示すハウジングの正面図、図４は図２に示すハウジングの左側面図である。
【００２３】
図２〜図４に示すように、ハウジング１１０は、コンタクト１３０が配設された平面視略矩形状の底板部（板状本体部）１１２と、底板部１１２においてカード挿入口１０２の開口縁となる前側辺部１１２ａと隣り合う両側辺部から立設し、互いに対向して離間する案内側壁部１１３及び側壁部１１４と、底板部１１２においてカード挿入口１０２と反対の後側端辺部から立設する後端壁部１１５とを有する。
【００２４】
底板部１１２は、収容するカード２００の電極に電気的に接触するコンタクト（カンチレバーコンタクト等）１３０を保持している。具体的には、コンタクト１３０は、底板部１１２のほぼ中央部分から後側に向かって上方に傾斜しつつ突出して複数配設されており、接点部１３２となる先端部をカード挿入口１０２に対向した状態で配列している。
【００２５】
コンタクト１３０は、ここでは、板ばね接触子として形成され、インサート成形によってハウジング１１０に一体的に形成されている。つまり、コンタクト１３０は、ハウジング１１０に保持される他の導電部材を含むインサート品の一部であり、ここでは、インサート品は、導電性を有する金属板を加工してなる。
【００２６】
コンタクト１３０は、挿入されるカード２００の挿入方向に沿って、底板部１１２の上面から後方に突出して配置され、先端が接点部１３２であるレバー部１３４を備える。
【００２７】
レバー部１３４は、底板部１１２に、先端の接点部１３２をハウジング１１０の後端壁部１１５側で、且つ、カード２００の挿入方向と直交する方向に所定間隔をあけて複数整列させた状態で配設されている。
【００２８】
ここでは、コンタクト１３０は、それぞれ長尺帯状の金属板を平面視Ｖ字またはＵ字形に加工してなる。この金属板の折り返し部分で折り返される一辺部をレバー部１３４とし、他辺部を底板部１１２に配設される固定片１３６とし、レバー部１３４を、固定片１３６に対して表面側に折曲することによって形成されている。ここでは、コンタクト１３０は、底板部１１２において配線として配設される導電部材とともに一枚の金属板を加工することで形成されている。
【００２９】
レバー部１３４と、固定片１３６のうちレバー部１３４と幅方向で並ぶ部位は、底板部１１２において開口した部位に配設され、固定片１３６の基端側部分及び先端側部分（コンタクト１３０の折り返し部分）はハウジング１１０の底板部１１２に固定されている。
【００３０】
固定片１３６は、底板部１１２に底面に沿う位置で保持され、固定片１３６の基端部（コンタクト１３０の基端部）１３８は、後端壁部１１５の後端面から外方（後方）に突出されている。この突出した基端部１３８は、実装基板にはんだ接合されるリード部となる。
【００３１】
また、底板部１１２には、側壁部１１４に沿って、挿入方向に沿って移動自在なスライダ１５０を備えるロック機構部１４０が配設されている。このロック機構部１４０と案内側壁部１１３との間には、挿入されるメモリカード２００の先端部の一側部（具体的には、切欠部２１０を規定する挿入方向に延在する面）に対向するとともにスライダ１５０の後端部が当接する案内小壁部１１６が設けられている。
【００３２】
案内小壁部１１６は、案内側壁部１１３の内面と平行に配置され、挿入されたカード２００における先端部の一側面（右）に対向して当該カード先端部の位置を側方から規制する対向面を有する。また、案内小壁部１１６は、対向面と直交して配置され、奥方（後方）に移動したスライダ１５０の挿入方向への移動を規制して、カード装着位置に配置させる当接面とを備える。
【００３３】
なお、この案内小壁部１１６は、収容部１０４にカード２００（図１参照）を挿入する際に、カード２００の先端部がロック機構部１４０のハートカム溝部１８０への挿入することを規制する。
【００３４】
これら底板部１１２、ロック機構部１４０において案内側壁部１１３と対向する部分及び案内小壁部１１６は、案内側壁部１１３とともにハウジング１１０の上面側に開放した凹状を形成し、収容部１０４の両側面及び底面を構成している。
【００３５】
案内側壁部１１３は、先端側の端縁で、カード挿入口１０２の一側辺部を形成しており、底板部１１２、側壁部１１４及び後端壁部１１５とともにハウジング１１０として一体的に形成されている。
【００３６】
案内側壁部１１３において、カード挿入口１０２側の部分（以下、「挿入口側部分」という）１１３ａには、内壁面に沿って補強板１９１が配設されている。
【００３７】
図５は、本発明の一実施の形態に係るコネクタにおける補強板の説明に供する図である。詳細には、図５は、挿入口側部分を左側方からみた図である。
【００３８】
挿入口側部分１１３ａは、コネクタ１００に対してカード２００（図１参照）が表裏逆に誤挿入された場合に、カード２００が傾いて、スライダ１５０の張り出し部１５６に係合する切欠部２１０の後端面を規制する突起部２３０が当接する部分である。
【００３９】
すなわち、カード２００を表裏逆に誤挿入した際、ハウジング１１０内において、カードにおける直線状の他側部が、スライダ１５０の張り出し部１５６の張り出し端を摺動する。これによりカードの先端部は内部空間を閉塞するように移動することとなり、カードは傾斜し、一端部側の切欠部２１０に隣接する突起部２３０の先端が当接する。なお、コネクタ１００に対してカード２００が斜めに挿入される状態についての詳細は後述する。
【００４０】
ここでは、案内側壁部１１３における挿入口側部分１１３ａは、側壁部１１４側において、カード挿入口１０２側に位置する常態時のスライダ１５０のロック爪部１５５と真正面で対向する領域とされ、この領域の略全面に渡って補強板１９１は配設されている。
【００４１】
補強板１９１は、樹脂製の案内側壁部１１３の挿入口側部分１１３ａを補強する金属板からなる。ここでは、コンタクト１３０ととともにインサート品である金属板の一部を折曲することにより形成されており、インサート成形によって案内側壁部１１３内に埋設されている。
【００４２】
補強板１９１は、外面を外部（案内側壁部１１３の外面側）に露出させて、底板部１１２において挿入口１０２側に配置された補強底板部３１０から直交して立ち上がるように形成されている。なお、補強底板部３１０は、コンタクト１３０とともにインサート品の一部として形成されており、案内側壁部１１３及び側壁部１１４との間に架設された状態で底板部１１２内に配設され、案内側壁部１１３側の端縁から補強板１９１が立設されている。
【００４３】
補強板１９１は、ここでは、案内側壁部１１３の延在方向を長手方向とした外面視矩形板状をなしている。
【００４４】
また、補強板１９１は、案内側壁部１１３において、カード挿入口側の端辺部１９１ａを、案内側壁部１１３のカード挿入口１０２の開口側の端縁１１３１よりもハウジング１１０の奥側（後端側）に位置するように配設されている。案内側壁部１１３における開口側の端縁１１３１と補強板１１９との間には樹脂層が配設されている。
【００４５】
また、補強板１９１の外面には、外方に突出してシールドカバー１２０の側板部１２３に当接する突部１９２が形成されている。
【００４６】
さらに、補強板１９１には、表裏面（内外面）を貫通する連通口１９３が形成され、内面（収容部１０４側）上には樹脂層が積層されている。この連通口１９３には、内面側の樹脂層に連続して形成されるとともに、補強板１９１の外面から突出し、シールドカバー１２０の係止孔１２６と係合する取付爪部１１３５が設けられている。
【００４７】
このようにハウジング１１０における案内側壁部１１３の挿入口側部分１１３ａは、補強板１９１が配設されていることにより、内面側から外面側へ順に樹脂層、補強板１９１による金属層により構成されている。
【００４８】
図２に戻り、後端壁部１１５は、挿入により収容部１０４に収容されたカード２００の先端部と近接して対向して配置され、当該収容部１０４に挿入されるカード２００の挿入方向への移動を規制する。
【００４９】
後端壁部１１５の略中央部分には、収容部１０４と挿入方向に連通する開口１１５ｅが形成され、この開口１１５ｅ両側に、ハウジング１１０の後端側角部をそれぞれ形成する壁部１１５ａ、１１５ｂが配置されている。これら壁部１１５ａ、１１５ｂのうちロック機構部１４０側の壁部１１５ｂには、底板部１１２上に立設され前方に突出する案内片１１５ｃが形成されている。案内片１１５ｃは、底板部１１２上において、挿入方向に沿って配置されたロック機構部１４０よりも案内側壁部１１３側に近い位置に配置され、カード２００の先端側の一側縁部（１面で切り落とされた部分）を収める。ここでは、挿入されるカード２００において切欠部２１０を有する先端部の形状に対応して、案内側壁部１１３との間隔は、案内側壁部１１３とロック機構部１４０との間隔よりも切欠部２１０の深さ分（横方向の長さ分）、狭くなっている。
【００５０】
これら案内側壁部１１３と案内片１１５ｃとが、裏面に配設された電極とコンタクト１３０が接触するように正しい姿勢で挿入（正規挿入）されたカード２００の先端側の横幅を規制する。これにより、カード２００の電極と、底板部１１２に配設されたハウジング側のコンタクト１３０との位置合わせを正確に行うことができる。
【００５１】
ロック機構部１４０は、収容部１０４となる領域の側方（ここでは、収容部１０４に対して側壁部１１４側）に挿抜方向に沿って配置されている。このロック機構部１４０は、挿入されるカード２００の切欠部２１０に係合される張り出し部１５６を備えるスライダ１５０と、コイルバネ１６０と、ロックピン１７０と、ハートカム溝部１８０とを有する。
【００５２】
スライダ１５０は、底板部１１２上に配置され、収容部１０４に挿入されるカード２００の挿入方向に沿って移動自在に配置され、コイルバネ（付勢部材）１６０によって、カード２００の反挿入方向（抜脱方向）側に付勢されている。
【００５３】
このスライダ１５０は、コネクタ本体において最もカード挿入口１０２側に移動した際の位置（カード挿入口側位置）にて、基端側を中心に水平に揺動自在に配置されている。この位置で、スライダ１５０は、先端側のロック爪部１５５をメモリカード２００の爪係止溝２２０に係合させ、カード２００をコネクタ本体に対して挿抜自在に保持する。この位置を以下では、ハーフロック位置もいう。
【００５４】
図２に示すように、スライダ１５０は、収容部１０４側に張り出す張り出し部１５６を備えるスライダ本体１５２と、スライダ本体１５２の先端側（前側）から突出する頸部１５３と、頸部１５３の先端部に形成され、カード２００の側面の爪係止溝２２０に出入りするロック爪部１５５とを有する。
【００５５】
スライダ本体１５２の収容部１０４側の側面（傾斜面）１５６ａは、頸部１５３に連続する先端部から基端部側に向かって、収容部１０４側、つまり案内側壁部１１３側に張り出して傾斜する傾斜面となっている。
【００５６】
この傾斜面１５６ａの傾斜が、スライド本体１５２における張り出し部１５６を形成しており、挿入方向と交差する斜面である。この傾斜面１５６ａは、カード２００の切欠部２１０を形成する基端側面（傾斜面２１２）の傾斜に対応している。
【００５７】
スライダ本体１５２は、正しく挿入されたカード２００の爪係止溝２２０にロック爪部１５５が係止した際に、切欠部２１０と嵌り合ってカード２００の先端部の側方（挿入方向を前にして右側）に位置することとなる。さらにカード２００が収容部１０４内に挿入されることで、張り出し部１５６は、カード２００によって挿入方向に押圧される。これにより、メモリカード２００を収容部１０４の奥側に挿入するだけで、スライダ１５０は、スライダ１５０自体も追従して収容部１０４の奥側に移動して、カード２００が収容部１０４に完全に収容されるカード装着位置に移動される。
【００５８】
なお、ロック爪部１５５は、頸部１５３の先端部から平面視三角形状に突出して形成されている。ロック爪部１５５は、後端側に向かってカード２００における矩形状の爪係止溝２２０と確実に係止するために、後端側の面１５５ｂは頸部の内側面に対して急な勾配が付けられている。また、ロック爪部１５５の先端側の面１５５ａには、爪係止溝２２０の出入りを容易にするために緩い勾配が付けられている。
【００５９】
このロック爪部１５５は、底板部１１２上に、スライダ１５０がハーフロック位置（図１に示す挿入口側位置）に位置する際に、収容部１０４側に対して離間方向に揺動するように配置されている。
【００６０】
図６は、本発明の一実施の形態に係るメモリカードコネクタにおいてシールドカバーを外した状態のハウジングの底面図である。
【００６１】
図６に示すように、スライダ１５０の下面（スライダ本体１５２の下面）には、下方に突出し、底板部１１２に形成されたスリット１１７に移動自在に遊嵌された案内突起部１５１が形成されている。
【００６２】
案内突起部１５１は、挿入方向（前後方向）に延在する突条をなし、スライダ本体１５２の下面において幅方向の長さよりも前後方向に長く、ハウジング１１０において前後方向に延在するスリット１１７内をスリット１１７にガイドされつつ移動する。
【００６３】
図６に示すように、案内突起部１５１が遊嵌されたスリット１１７は、底板部１１２に、ハウジング１１０の前後方向に延在するととともに、カード挿入口１０２側の端部では、収容部１０４側とは反対側に拡がるように形成されている。
【００６４】
ここでは、スリット１１７では、カード挿入口側の先端部１１７ａは、側方に向かって拡がる扇状に形成されており、この先端部である扇状部分１１７ａに案内突起部１５１が位置する場合、案内突起部１５１は基端部側を中心に揺動自在となっている。この扇状部分１１７ａに案内突起部１５１が位置した際に、スライダ１５０自体は、カード挿入口側位置に位置することとなる。
【００６５】
また、案内突起部１５１は、スリット１１７の奥側に移動すると長穴状部分１１７ｂに沿って直線的に移動して、長穴状部分１１７ｂの奥側の端部では、左右方向とともに基端側への移動が規制される。この構成によりスライダ１５０はハウジング１１０内における挿抜方向の移動範囲を規制されている。
【００６６】
また、スライダ本体１５２には、図２に示すように、後端壁部１１５と対向する基端面には、バネ受け突起１５７が後方に突出して設けられている。
【００６７】
このバネ受け突起１５７と、後端壁部１１５ｂから前方に突出してバネ受け突起１５７と対向する突出部１１５ｇとに、それぞれ圧縮コイルばねであるコイルバネ１６０の端部がそれぞれ外嵌されている。コイルバネ１６０は、スライダ１５０と後端壁部１１５ｂとの間に挿入方向に沿って配置された状態となっている。
【００６８】
これにより、スライダ１５０は、常に前方（カード挿入口側）に付勢され、カード２００が収容部１０４内に挿入されていない場合、最も前側の移動終了位置である挿入口側の位置で、ロック爪部１５５が収容部１０４内に突出した状態で、挿入方向に沿って配置される。
【００６９】
また、スライダ本体１５２の張り出し部１５６には、張り出し端部１５６ｂの上面を切り欠いてなるピン保持部１５８が形成されている。ピン保持部１５８は、上方に開口する孔部を有し、この孔部には、丸棒の両端部が直角に折り曲げられてなるコ字状のロックピン１７０の他端部（先端部）１７４を形成する折り曲げ軸が回動自在に挿入されている。
【００７０】
ロックピン１７０の一端部（基端部）１７２を構成する折り曲げ軸部は、ハートカム溝部１８０内に挿入されており、このロックピン１７０はハートカム溝部１８０の従動節となっている。これより、スライダ１５０は、ハートカム溝部１８０に沿って移動するロックピン１７０の移動の軌跡に従動して相対変位する。
【００７１】
なお、スライダ１５０において、スライダ本体１５２の上面は、上方に配置されるシールドカバー１２０の上面との干渉を防止するため頸部１５３、ピン保持部１５８等と比べて低くなるように形成されている。
【００７２】
ここで、ハートカム溝部１８０について説明する。図７は、ハートカム溝部の拡大図である。
【００７３】
図７に示すハートカム溝部１８０の底面は、先端部１７４をスライダ１５０に回動自在に接続したロックピン１７０の基端部１７２が所定の方向へと案内されるように、段階的な複数のスロープおよび段部１８２ａ〜１８２ｈが形成されており、いわゆるハートロックカム機構を構成している。ロックピン１７０の基端部１７２がハーフロック位置から出発してハーフロック位置へ復帰するまでの各スロープ１８２ａ〜１８２ｆ間の高さ関係は、図８に示すように形成されている。図８は、ハートカム溝部における段階的な斜面及び段部間のメモリカードコネクタの垂直方向における高さ関係を示す図である。
【００７４】
ここでは、スロープ及び段部１８２ａ〜１８２ｈは、当接するロックピン１７０の他端部が逆軌跡を描かないように形成されたものである。
【００７５】
図７及び図８に示すように、ハートカム溝部１８０における軌跡の出発点となる底面１８２ａは、スライダ１５０の底面と平行する平面となっている。そして、底面１８２ａから立ち上がるようにして斜面となるスロープ１８２ｂが形成されている。
【００７６】
斜面としての底面であるスロープ１８２ｂを過ぎると、底面１８２ａより高い平面を有する底面１８２ｃとなっている。底面１８２ｃを過ぎると段差となって、底面１８２ｃより低い平面を有する屈曲した底面１８２ｄとなる。
【００７７】
すなわち、ロックピン１７０の基端部１７２は、スライダ１５０がカード挿入口側位置からカード固定位置に移動する過程においては、底面１８２ｄに到達した際には、底面１８２ｃに戻ることはできない。そして、底面１８２ｄを過ぎると段差となって、底面１８２ｄより低い平面を有する底面１８２ｅとなる。
【００７８】
底面１８２ｅは、カード挿入口側に突出する平面視Ｖ字状の内壁によりＶ字溝３４（図９参照）を形成している。ロックピン１７０の基端部１７２は、スライダ１５０がカード挿入口側位置からカード固定位置に移動する過程においては、底面１８２ｅに到達した場合には底面１８２ｄに戻ることはできない。基端部１７２がＶ字溝３４の底面１８２ｅに到達した状態は、カード２００のロック状態又は装着状態である。なお、基端部１７２が底面１８２ａから底面１８２ｅに到る軌跡は往路の軌跡となる。
【００７９】
そして、コイルバネ１６０の付勢力に抗して、カード２００をコネクタ１００の奥側、つまり後側に更に挿入すると、ロックピン１７０の基端部１７２は、Ｖ字溝３４から解放されて、底面１８２ｅを過ぎると段差となって、底面１８２ｅより低い平面を有する底面１８２ｆに位置するものとなる。すなわち、底面１８２ｆに到達した基端部１７２は、底面１８２ｅに戻ることはできない。
【００８０】
更に、底面１８２ｆに連続して底面１８２ｆから立ち上がるようにしてカード挿入方側に傾斜した斜面である底面（スロープ）１８２ｇが形成されている。
【００８１】
スロープ１８２ｇの挿入口側には、スロープ１８２ｇより高い平面を有する底面１８２ｈが形成されている。この底面１８２ｈのカード挿入口１０２側には、段差が形成され、底面１８２ｈより低い平面を有する底面１８２ａが配置されている。
【００８２】
このようにハートカム溝部１８０は、底面上を摺動するロックピン１７０の接触点がハート状の平面軌跡を描きつつ、高さ方向には部分的に不可逆な軌跡を描くように形成されている。
【００８３】
また、ハートカム溝部１８０は、コネクタ１００において、収容部１０４に収容されたメモリカードの先端部と、コネクタ１００の一方の側面（カード挿入口１０２を正面視して右側の側面）に沿って、挿入方向に延在するコイルバネ１６０との間に配置されている。
【００８４】
つまり、コネクタ１００において、ハウジング１１０上に、収容部１０４と、スライダ１５０を付勢するコイルバネ１６０及びハートカム溝部１８０を含むロック機構部１４０とが収まりよく合理的に配置されている。
【００８５】
よって、コネクタ１００では、当該コネクタ１００の横幅を、メモリカード自体の横幅と、ロック機構部１４０の横幅とを合わせた長さの幅に近似した長さに形成されており、小型化が図られ、実装スペースの省スペース化が図られている。
【００８６】
上記構成のハウジング１１０の底板部１１２上に配置されたスライダ１５０は、ハウジング１１０を上方から覆うシールドカバー１２０の上面１２１（図１参照）によって、上下方向への移動を規制されている。これによりスライダ１５０は、前後方向及びスリット１１７の先端部（扇状部分）１１７ａ上での横方向にのみ移動自在となっている。
【００８７】
具体的には、コイルバネ１６０により前方に付勢されカード挿入口側の位置に位置するスライダ１５０は、スライダ圧接片１２２により下方に押圧されているとともに、爪押圧片１２８によって収容部１０４側に押圧されている。
【００８８】
また、カード挿入口側に位置するスライダ１５０には、スライダ圧接片１２２が圧接されている。このため、スライダ１５０が、コイルバネ１６０の付勢力によって、収容部内の最も後端側の位置であるカード保持位置からカード挿入口側の位置に戻る場合、つまり、カード排出動作時において、スライダ圧接片１２２は、主に爪押圧片１２８ととともに、付勢力によるスライダ１５０の移動力を減衰させることができる。
【００８９】
このように爪押圧片１２８は、スライダ圧接片１２２及びスライダ１５０のロック爪部１５５とともに、カード２００の排出時におけるカードの飛び出し防止機構を構成している。本実施の形態では、爪押圧片１２８は、カード２００の収容部１０４側に突出する折曲部１２９（図１参照）で、スライダ１５０に対して水平方向で押圧力を与え、スライダ圧接片１２２は、スライダ１５０に対して垂直方向に押圧力を加えている。つまり、爪押圧片１２８及びスライダ圧接片１２２は、挿入方向に沿って移動するスライダ１５０に対して、挿入方向と直交する方向で押圧して、挿入方向の移動力を効果的に抑制している。
【００９０】
次に、上述のように構成されたメモリカードコネクタへのカード２００の着脱動作及びロック機構部の動作を説明する。
【００９１】
カード２００が挿入されていないカード２００コネクタでは、スライダ１５０は、コイルバネ１６０によって、コネクタ前方に付勢されるとともに、爪押圧片１２８によって収容部１０４側に付勢されている（図２参照）。
【００９２】
これにより、底板部１１２とシールドカバー１２０の上面１２１とで上下方向への移動が規制されているスライダ１５０では、下面における案内突起部１５１がスリット１１７の前側端部に押圧されるとともに、スリット１１７の先端部１１７ａにおいて収容部１０４側に押圧される。このため、スライダ１５０は、カード挿入口側の位置で、抑止ロック爪部１５５を収容部１０４内に突出させた状態で、収容部１０４と逆側に水平方向で揺動自在になっている。また、このとき、ハートカム溝部１８０に挿入されたロックピン１７０の基端部１７２は、底面１８２ａの先端側端部側に配置されている。
【００９３】
このような状態のメモリカードコネクタに、カード挿入口１０２からカード２００を挿入して押し込む。すると、カード２００の端部によって、収容部１０４内、つまり挿入領域に存在するロック爪部１５５の開口側の端面が挿入方向に押圧され、スライダ１５０自体が収容部１０４と逆側に水平方向に揺動する。これによりロック爪部１５５は、収容部１０４に挿入されるカード２００のカード２００の側面の突起部２３０の側面を摺動しつつ、カード２００から離間する方向に変位して、爪係止溝２２０に入り込む。これにより、カード２００自体は、挿抜自在なハーフロック状態で保持される（図１参照）。
【００９４】
また、このとき、カード２００の切欠部２１０に対向して張り出し部１５６が配置されることとなり、切欠部２１０と張り出し部１５６が係合した状態となる。
【００９５】
その後、コイルバネ１６０の付勢力に抗したカード２００の挿入方向（Ａ方向）の挿入によって、スライダ１５０は、ロック爪部１５５を爪係止溝２２０に係合させた状態で切欠部２１０を形成する傾斜面２１２により傾斜面１５６ａで押圧される。これにより、スライダ１５０は、スリット１１７にガイドされてコネクタ１００の後端側に向かって移動する。このとき、ロックピン１７０の基端部１７２（折り曲げ軸）は、ハートカム溝部１８０内に配置されているため、ロックピン１７０自体は底面上を往方向（底面１８２ａからスロープ１８２ｂ、底面１８２ｃを経て底面１８２ｄへ至る方向）に移動する。
【００９６】
スライダ１５０が奥側に挿入されると、ロックピン１７０の基端部１７２は、段差のある底面１８２ｃから底面１８２ｄに落とし込まれる。そして、カード２００の押し込み（挿入方向への押圧）を止めると、つまり、カード２００が最深部まで押し込まれると、ロックピン１７０の基端部１７２は、コイルスプリングの付勢力によって、カード挿入口側に押し戻される。このとき、ロックピン１７０の基端部１７２は、底面１８２よりも高い位置の底面１８２ｃ側に戻ることなく、底面１８２ｅに移動して、Ｖ字溝３４に掛止される。Ｖ字溝３４にロックピン１７０の基端部１７２が係合している状態では、スライダ１５０は、コイルスプリングの付勢力による抜脱方向への移動を規制され、カード２００の装着位置に固定される。すなわち、カード２００は装着状態となる。
【００９７】
図９は本発明の一実施の形態に係るコネクタにおいてスライダがカード装着位置に位置した状態を示すハウジングの平面図である。なお、図９ではコイルバネは便宜上省略している。
【００９８】
図９に示すように、スライダ１５０が装着位置に位置している間、装着されたカード２００における先端側下面の電極が複数のコンタクト（カンチレバーコンタクト）１３０（図２参照）と接触し、カード２００のデータの読み書きを行うことができる。また、このとき、ロック爪部１５５は、カード２００の爪係止溝２２０に入り係合しているため、カード２００がコネクタ１００から振動等により容易に抜け出すことがない。
【００９９】
一方、ロック状態を解除して、カード２００を取り外す場合には、カード２００をカード装着状態から、さらにコネクタの奥側に押し込む。
【０１００】
このように、カード２００を装着した状態において、コイルスプリングの付勢力に抗して、カード２００を挿入方向に更に挿入して、ロックピン１７０の基端部１７２（折り曲げ軸）をＶ字溝３４（図９参照）から解放させる。すると、ロックピン１７０の基端部１７２は、底面１８２ｄに戻らず、底面１８２ｆへ移動してＶ字溝３４から離脱し、コイルスプリングの付勢力によって、スロープ１８２ｇ、底面１８２ｈを通り、底面１８２ａに戻る復路の軌跡を描くように移動する（図７及び図８参照）。
【０１０１】
このロックピン１７０の移動に伴い、スライダ１５０は、コイルバネ１６０の付勢力により抜脱方向に移動し、傾斜面１５６ａで当接するカード２００の傾斜面２１２を抜脱方向に押圧して、カード２００を抜脱方向に移動させる。
【０１０２】
このコネクタでは、カード２００をイジェクトする際に、スライダ１５０のロック爪部１５５をカード２００の爪係止溝２２０へ爪押圧片（板バネ）１２８（図１参照）で付勢することによってカードの抜け止めとなる。さらに、メモリカード２００のイジェクト時において、ロック状態のカードを指先で弾いて（挿入方向に押して）ロック解除した際に、加速度を増して共にカード抜脱方向（排出方向）に移動するスライダ１５０とメモリカード２００の勢いを、爪押圧片１２８（図１参照）と、スライダ１５０自体を下方に付勢するスライダ圧接片１２２（図１参照）とによって抑制する。これにより、コネクタから排出されるメモリカード２００を直接押圧することがないため、カード２００自体の押圧痕を残すことなく当該カード２００の飛び出しを防止することができる。そして、スライダ１５０がカード側位置に位置している状態、つまり、カード２００のハーフロック状態において、カード挿入口１０２から外側に突出しているカード２００の端部（基端部）を指でつまみ引っ張る。これにより、ロック爪部１５５はスライダ１５０の外側への揺動に伴い変位し、爪係止溝２２０から抜け出て、突起部２３０の外縁に沿ってカード２００の切欠部２１０側に移動する。よって、カード２００に対するハーフロック状態は解除され、カード２００自体を抜き取ることができる。
【０１０３】
次に、上述のように構成されたコネクタ１００において、挿入されるカード２００が、表裏面逆にして誤挿入された場合について説明する。
【０１０４】
図１及び図２に示す状態のコネクタ１００に、カード２００が表裏面を逆にして挿入された場合、カード２００において、切欠部２１０、爪係止溝２２０及び突起部２３０が形成された一側部は、スライダ１５０が配置された側壁部１１４側とは反対側の案内側壁部１１３側に配置される。
【０１０５】
一方、カード２００の先端部の他側部（切欠部２１０が形成された一側方とは反対側の側方の左側部）は、側壁部１１４側のスライダ１５０側に配置される。
【０１０６】
このため、カード２００がハウジング１１０に挿入されると、先端部の他側部の角部は挿入領域側に突出する張り出し部１５６の傾斜面１５６ａに当接して引っかかる。一方、一側部では、切欠部２１０より幅狭に形成された先端部は、ロック爪部１５５の突端と案内側壁部１１３間には挿入されるが、カード２００の先端部の他側部が傾斜面１５６ａと当接する位置付近で、突起部２３０がカード挿入口１０２縁部に当接する。このとき、突起部２３０より先端側において、カード２００の先端部と案内側壁部１１３との間には隙間が形成される。この状態では、カード２００は、スライダ１５０を挿入方向に押圧して直線的に移動させることができず、カード先端部の他側部は、傾斜面１５６ａに沿って摺動し、カード２００自体が、側壁部１１４側に傾く。
【０１０７】
すなわち、カード２００を表裏逆に誤挿入した際、ハウジング１１０内において、カード先端部における直線状の他側部が、スライダ１５０の張り出し部１５６の傾斜面１５６ａを摺動する。これによりカードの先端部は内部空間を閉塞するように移動することとなり、カード２００はカード挿入口１０２により形成される開口面に対して傾斜する。
【０１０８】
この状態においても、カード２００は押圧方向に押圧されているため、カード２００は、カード挿入口１０２（詳細にはカード挿入口１０２により形成される開口面）に対して傾いた状態のまま、ハウジング１１０内に押し込まれる。
【０１０９】
カード２００では、他側部側が張り出し部１５６の傾斜面１５６ａに沿って滑り、張り出し端で、案内側壁部１１３側に案内され、カード先端部の一側部側の突起部２３０は、その先端を案内側壁部１１３の内壁面に当接させつつ収容部１０４内に侵入する。このため、カード２００の一側部は、突起部２３０の突端（切欠部２１０を形成する基端側面である傾斜面２１２の突端）で、案内側壁部１１３を側方に押圧しつつ摺動し、カード２００自体はコネクタ１００に嵌り込む。
【０１１０】
図１０は、本発明に係る実施の形態のコネクタにメモリカードが誤挿入された状態を示す図である。
【０１１１】
図１０に示すように、カード２００がコネクタ１００に嵌り込んだ際に、案内側壁部１１３において、突起部２３０の突端は、挿入口側部分１１３ａを当接しつつ、当該部分１１３ａを外方に押圧する。
【０１１２】
図１１は、図１０に示すコネクタにおいて案内側壁部のカード挿入口側部分を示す拡大図である。図１１に示すように、挿入口側部分１１３ａには、補強板１９１が配設されており、内壁面側から樹脂層１１３６、金属層を有するように形成されている。
【０１１３】
すなわち、本実施の形態のコネクタ１００では、ハウジング１１０では、スライダ１５０は、側壁部１１４側に、カード挿入口１０２側からカード装着位置まで移動自在に配設され、側壁部１１４と対向する案内側壁部１１３における挿入口側部分１１３ａには、当該挿入口側部分１１３ａを補強する補強板１９１が部分１１３ａの内壁面に沿って配設されている。
【０１１４】
また、案内側壁部１１３の外面には、シールドカバー１２０の側板部１２３が重なるように配設されている。
【０１１５】
このように、コネクタ１００では、ハウジング１１０の案内側壁部１１３と補強板１９１とが一体的に形成されている。このため、コネクタ１００では、側壁部分で、案内側壁部１１３、補強板１９１及びシールドカバー１２０の側板部１２３（金属プレート）の３層でカード２００を受けることとなる。
【０１１６】
よって、コネクタ１００では、表裏面を逆にしてカード２００が挿入された際に、コネクタ本体の側壁部分において、突起部２３０が当接する挿入口側部分１１３ａは、補強板１９１で補強された状態となり、コネクタ自体の変形を防止することができる。
【０１１７】
また、挿入口側部分１１３ａの外面には、補強板１９１の連通口１９３を介してハウジング１１０と一体の樹脂製の取付爪部１１３５（図５参照）が突設されている。これにより、案内側壁部１１３の外面において、カード挿入口側の端部（先端部）及び基端部のそれぞれと、側壁部１１４のカード挿入口側の端部（先端部）及び基端部のそれぞれに取付爪部１１３５が形成される。
【０１１８】
この取付爪部１１３５は、コンタクト１３０、特に補強板１９１となる金属板をインサート品としてハウジング１１０をインサート成形する際に、補強板１９１の内側から樹脂が外側に流れることにより形成される。取付爪部１１３５がシールドケースの係止孔１２６（図５参照）と係合することによって、ハウジング１１０にシールドカバー１２０を安定して取り付けることができる。
【０１１９】
また、案内側壁部１１３の外面の一部を形成する補強板１９１の外面には、内面側でカード２０が当接する部分に対応して突部１９２（図５参照）が形成され、この突部１９２は、シールドカバー１２０の側板部１２３に接触している。これにより補強板１９１が誤挿入によりカード２００から受けた荷重をシールドカバー１２０の側板部１２３に伝えることができる。
【０１２０】
また、補強板１９１自体は、図２に示すように、コネクタ本体においてカードを収容する収容部１０４の底面部分を規定する底板部１１２において、幅方向に延在し、案内側壁部１１３及び側壁部１１４間に渡って配設された補強底板部３１０と同一部材にて形成されている。
【０１２１】
これにより、誤挿入されたカード２００によって、補強板１９１が収容部１０４側から押圧されても、カード２００と下方で対向する補強底板部３１０に荷重を分散でき、補強板１９１は勿論のこと、補強底板部３１０でもカード２００を受けた状態となる。
【０１２２】
よって、案内側壁部１１３の強度を一層向上させることができる。本実施の形態では、案内側壁部１１３の挿入口側部分１１３ａにおいて、補強板１９１が無い構成と比較して約２．６倍の強度向上を図ることできる。
【０１２３】
本発明に係るメモリカードコネクタは上記各実施の形態に限定されず、種々変更して実施することが可能である。なお、上記本発明は、本発明の精神を逸脱しない限り、種々の改変をなすことができ、そして本発明が該改変させたものに及ぶことは当然である。
【産業上の利用可能性】
【０１２４】
本発明に係るメモリカードコネクタは、先端部の一側部側に切欠部を有するメモリカードカードが表裏逆に挿入されても、変形しにくい効果を有し、マイクロＳＤカード（登録商標）用のメモリカードコネクタとして有用である。
【図面の簡単な説明】
【０１２５】
【図１】本発明の一実施の形態に係るメモリカードコネクタの構成を示す斜視外観図
【図２】本発明の一実施の形態に係るメモリカードコネクタにおいてシールドカバーを外した状態のハウジングの平面図
【図３】図２に示すハウジングの正面図
【図４】図２に示すハウジングの左側面図
【図５】本発明の一実施の形態に係るコネクタにおける補強板の説明に供する図
【図６】本発明の一実施の形態に係るメモリカードコネクタにおいてシールドカバーを外した状態のハウジングの底面図
【図７】ハートカム溝部の拡大図
【図８】ハートカム溝部における段階的な斜面及び段部間のメモリカードコネクタの垂直方向における高さ関係を示す図
【図９】本発明の一実施の形態に係るコネクタにおいてスライダがカード装着位置に位置した状態を示すハウジングの平面図
【図１０】本発明に係る実施の形態のコネクタにメモリカードが誤挿入された状態を示す図
【図１１】図１０に示すコネクタにおいて案内側壁部のカード挿入口側部分を示す拡大図
【符号の説明】
【０１２６】
３４  溝
１００  コネクタ
１０２  カード挿入口
１１０  ハウジング
１１２  底板部
１１２ａ  前側辺部
１１３  案内側壁部
１１３ａ  挿入口側部分
１１４  側壁部
１２０  シールドカバー
１２３、１２４  側板部
１２６  係止孔
１３０  コンタクト
１４０  ロック機構部
１５０  スライダ
１５５  ロック爪部
１５６  張り出し部
１５６ａ  傾斜面
１６０  コイルバネ
１７０  ロックピン
１８０  ハートカム溝部
１９１  補強板
１９２  突部
１９３  連通口
２００  メモリカード
２１０  切欠部
２１２  傾斜面
２２０  爪係止溝
２３０  突起部
３１０  補強底板部
１１３１  端縁
１１３５  取付爪部
１１３６  樹脂層
【図１】
0005125456.tif 000002
【図２】
0005125456.tif 000003
【図３】
0005125456.tif 000004
【図４】
0005125456.tif 000005
【図５】
0005125456.tif 000006
【図６】
0005125456.tif 000007
【図７】
0005125456.tif 000008
【図８】
0005125456.tif 000009
【図９】
0005125456.tif 000010
【図１０】
0005125456.tif 000011
【図１１】
0005125456.tif 000012